(57)【要約】【課題】屋外などに配されて降雨等に晒されても、雨水等が残留することがなく、常時好適に使用できる透水性セラミック製品を提供する。【解決手段】本考案の透水性セラミック製品は、原料にアタパルジャイト等を配合して焼成したものであり、例えば香炉１である。この香炉１には多数の細孔が形成されており、水分がこれら細孔から排出されて香炉１内に残留することがないため、常時好適に使用できる。また、本考案のセラミック製品は、透水性が求められる各種セラミック製品、例えば、花入れ、骨壷、建築用装飾材、または容器の底部構成材としても好適に使用できる。【選択図】　図１
0003098326.tif 000002
【実用新案登録請求の範囲】
【請求項１】
原料にアタパルジャイトを配合して焼成したことを特徴とする透水性セラミック製品。
【請求項２】
前記透水性セラミック製品は、香炉である請求項１に記載の透水性セラミック製品。
【請求項３】
前記透水性セラミック製品は、花入れである請求項１に記載の透水性セラミック製品。
【請求項４】
前記透水性セラミック製品は、骨壷である請求項１に記載の透水性セラミック製品。
【請求項５】
前記透水性セラミック製品は、建築用装飾材である請求項１に記載の透水性セラミック製品。
【請求項６】
前記透水性セラミック製品は、容器の底部構成材である請求項１に記載の透水性セラミック製品。
【考案の詳細な説明】
【０００１】
【考案の属する技術分野】
本考案は、主として屋外などに配されて降雨等に晒されても、その透水性により好適に使用できる透水性セラミック製品に関する。
【０００２】
【従来の技術】
従来より、お墓に配される仏具（例えば、香炉、花入れ、骨壷）、建築用装飾材（例えば、煉瓦、タイル）、或いは各種容器などとして、各種セラミック製品が多用されている。
【０００３】
【考案が解決しようとする課題】
このようなセラミック製品には、屋外などに配されて降雨等に晒されて使用されるものが多数あり、雨水等が残留すると、その後の使用に際して不具合が生じることがあった。
【０００４】
そこで、本考案の課題は、屋外などに配されて降雨等に晒されても、雨水等が残留することがなく、常時好適に使用できる透水性セラミック製品を提供することにある。
【０００５】
【課題を解決するための手段】
上記課題を解決するものは、原料にアタパルジャイトを配合して焼成したことを特徴とする透水性セラミック製品である。
【０００６】
前記原料は、粘土５〜３５重量％、アタパルジャイト５〜６０重量％、ベントナイト５〜６５重量％およびシャモット２０〜８５重量％からなることが好ましい。前記透水性セラミック製品は、例えば香炉であってもよい。前記透水性セラミック製品は、花入れであってもよい。前記透水性セラミック製品は、骨壷であってもよい。前記透水性セラミック製品は、建築用装飾材であってもよい。前記透水性セラミック製品は、容器の底部構成材であってもよい。
【０００７】
【作用】
本考案の透水性セラミック製品には多数の細孔が形成されており、水分がこれら細孔から排出されて残留することがないため、常時好適に使用できる。
【０００８】
【考案の実施の形態】
以下、本考案の透水性セラミック製品を図面に示した各実施例を用いて順次説明する。
まず、図１に示したものは、本考案の透水性セラミック製品を香炉１に適用した実施例であり、上端が開口した本体部と脚部が一体成形されている。ただし、本考案の香炉は、図１に示した形態に限定されるものではなく、香炉として使用可能な形態のものは広く本考案の範疇に包含される。
【０００９】
香炉１は、原料にアタパルジャイトを配合して焼成されたものであり、これにより、全体渡って容器内外を連通する細孔が多数形成されている。図面中においては、細孔を散在した点で表現したが、現実には目視できない極めて多数の細孔が形成されている。このため、透水性を有しており、墓など屋外に配されても雨水等が香炉１内に溜まることがなく、好適に使用できる。
【００１０】
香炉１は、アタパルジャイトを配合した原料を作製する工程と、前記原料を用いて所要形態の容器を成形する工程と、前記容器を焼成する工程とを経て製造されている。
【００１１】
香炉１は、粘土５〜３５重量％、アタパルジャイト５〜６０重量％、ベントナイト５〜６５重量％およびシャモット２０〜８５重量％からなる原料を適宜配合し混練して作製されている。
【００１２】
なお、アタパルジャイトは繊維状の粘土鉱物であり、針状または繊維状の結晶構造を有し、この針状構造は１００〜２００℃で加熱すると、結晶水が抜けて中空の筒状体となる性質を有している。そして、原料にこのアタパルジャイトが含有されることにより細孔が形成され、透水性を有するセラミック製品となる。なお、アタパルジャイトの配合量が多いほど、透水性がより高いセラミック製品を作製できるため、作製されるセラミック製品の種類に応じて適宜アタパルジャイトの配合量を調整することが好ましい。
【００１３】
また、ベントナイトは可塑性を高めるために配合することが好ましく、シャモットは乾燥後の亀裂の発生を抑制するために配合することが好ましい。ただし、アタパルジャイトおよび粘土以外の原料はこれに限定されるものではなく、作製するセラミック製品に応じて他に必要な原料を配合してもよい。
【００１４】
混練した上記原料は、轆轤成形、プレス成形、鋳込み成形などの公知の成形法により、所要形態に形成する。この実施例の香炉１は、鋳込み成形により成形されている。
【００１５】
香炉の形態に成形された成形体は、乾燥された後、焼成炉にて焼成される。その焼成温度としては６００〜１３５０℃程度が好ましく、より好ましくは１０００〜１３５０℃である。香炉１に形成される細孔は、アタパルジャイトの結晶が焼成により破壊されて形成されると考えられるため、８００℃程度では結晶が残り、細孔が十分に形成されないおそれがあるからである。また、高温にて焼成した方が強度が増すからである。ただし、焼成温度を適宜選択することにより、透水性の程度が異なるセラミック製品を作製できる。また、融剤を使用すれば低温域の焼成でも作製可能である。焼成時間は、焼成炉の種類や焼成する透水性セラミック製品の種類によって大きく異なるが、概ね５〜３０時間である。
【００１６】
図２に示したものは、本考案の透水性セラミック製品を、墓などに立てる花入れに適用した実施例である。一般に墓石やその周辺には花入れを立設するが、この花入れに花を生けても、花入れ内に雨水などが溜まり、その水を烏などが飲むために、花を引き抜き散乱させることが多々あった。本考案の花入れ２は、透水性を有するため雨水等が溜まることがなく、烏等による被害を回避できる。
【００１７】
なお、この実施例の花入れ２は、長尺状の有底筒状体に形成されているが、その形態はこれに限定されるものではなく、花を生けることができる形態であればどのような形態でもよい。また、この実施例の花入れ２の底部は、墓石に穿孔された花入れ立設用穴に挿嵌して使用できるように構成されており、この底部部分を別部材（例えば金属材料や透水性を有しないセラミック製の有底筒状体など）にて構成したものも本考案の範疇に包含される。
【００１８】
図３に示したものは、本考案の透水性セラミック製品を、骨壷に適用した実施例である。墓石内に存置される骨壷は、湿気や雨水などの流入により、内部に水が溜まり遺骨が浮遊しているケースが多い。本考案の骨壷３は、有底筒状本体部３ａが透水性を有するため雨水等が内部に溜まることがなく、そのような事態を回避できる。なお、この実施例の骨壷３は、蓋体３ｂが透水性を有しないセラミックにて構成されているが、蓋体も本考案の透水性セラミック製品にて構成されていてもよく、また、透水性を阻害しない範囲で、有底筒状本体部３ａの表面が施釉されていてもよい。
【００１９】
図４に示したものは、本考案の透水性セラミック製品を、建築用装飾材（煉瓦様ブロック）に適用した実施例である。このような煉瓦用ブロックを例えば敷設用材に使用することにより、水捌けが良好な庭前等を構成できる。なお、建築用装飾材は、煉瓦様ブロックに限定されるものではなく、建築用装飾材を広く包含するものであり、例えばタイルやセラミックボードなども含まれる。
【００２０】
図５に示したものは、本考案の透水性セラミック製品を、容器の底部構成材に適用した実施例である。より具体的には、この実施例は屋外（例えば公園など）に配されるゴミ容器５であり、本考案の透水性セラミック製品にて形成された底部構成材５ａと、この底部構成材５ａの上部に取り付けられた本体筒状部５ｂとからなっている。そして、底部構成材５ａが透水性を有することにより、容器内部に水が溜まることがなく好適に使用することができる。
【００２１】
以上、本考案の透水性セラミック製品の具体例を列挙したが、本考案の透水性セラミック製品は図面に示した上記実施例に限定されるものではなく、透水性を備えることが望ましいセラミック製品に適用したものを広く包含するものである。
【００２２】
【考案の効果】
請求項１に記載した考案によれば、屋外などに配されて降雨等に晒されても、雨水等が残留することがなく、常時好適に使用できる。
請求項２に記載した考案によれば、香炉内に雨水等が溜まることがなく常時使用できる。
請求項３に記載した考案によれば、花入れ内に雨水等が溜まり、その水を烏などが飲むために花を引き抜き散乱させる被害を回避できる。
請求項４に記載した考案によれば、骨壷内に水が溜まり遺骨が浮遊するような事態を回避できる。
請求項５に記載した考案によれば、水捌けが良好な庭前等を構成できる。
請求項６に記載した考案によれば、容器内に雨水等が溜まることがなく、好適に使用することができる
【図面の簡単な説明】
【図１】本考案の透水性セラミック製品の一実施例（香炉）の斜視図である。
【図２】本考案の透水性セラミック製品の他の実施例（花入れ）の正面図である。
【図３】本考案の透水性セラミック製品の他の実施例（骨壷）の正面図である。
【図４】本考案の透水性セラミック製品の他の実施例（建築用装飾材）の斜視図である。
【図５】本考案の透水性セラミック製品の他の実施例（容器の底部構成材）の縦断面図である。
【符号の説明】
１　透水性セラミック製品（香炉）
２　透水性セラミック製品（花入れ）
３　透水性セラミック製品（骨壷）
４　透水性セラミック製品（煉瓦様ブロック）
５　透水性セラミック製品（ゴミ容器）
【図１】
0003098326.tif 000003
【図２】
0003098326.tif 000004
【図３】
0003098326.tif 000005
【図４】
0003098326.tif 000006
【図５】
0003098326.tif 000007
【手続補正書】
【提出日】平成15年8月6日(2003.8.6)
【手続補正１】
【補正対象書類名】明細書
【補正対象項目名】実用新案登録請求の範囲
【補正方法】変更
【補正の内容】
【実用新案登録請求の範囲】
【請求項１】
原料にアタパルジャイトを配合して焼成した透水性セラミック製品であって、該透水性セラミック製品は、香炉であることを特徴とする透水性セラミック製品。
【請求項２】
原料にアタパルジャイトを配合して焼成した透水性セラミック製品であって、該透水性セラミック製品は、花入れであることを特徴とする透水性セラミック製品。
【請求項３】
原料にアタパルジャイトを配合して焼成した透水性セラミック製品であって、該透水性セラミック製品は、骨壷であることを特徴とする透水性セラミック製品。
【請求項４】
原料にアタパルジャイトを配合して焼成した透水性セラミック製品であって、該透水性セラミック製品は、煉瓦様ブロック、タイル或いはセラミックボードであることを特徴とする透水性セラミック製品。
【請求項５】
底部構成材と該底部構成材の上部に取り付けられた本体筒状部とからなる容器であって、該容器の前記底部構成材は、原料にアタパルジャイトを配合して焼成されたものであることを特徴とする透水性セラミック製品。
【手続補正２】
【補正対象書類名】明細書
【補正対象項目名】０００５
【補正方法】変更
【補正の内容】
【０００５】
【課題を解決するための手段】
上記課題を解決するものは、原料にアタパルジャイトを配合して焼成した透水性セラミック製品であって、該透水性セラミック製品は、香炉であることを特徴とする透水性セラミック製品である。
また、上記課題を解決するものは、原料にアタパルジャイトを配合して焼成した透水性セラミック製品であって、該透水性セラミック製品は、花入れであることを特徴とする透水性セラミック製品である。
さらに、上記課題を解決するものは、原料にアタパルジャイトを配合して焼成した透水性セラミック製品であって、該透水性セラミック製品は、骨壷であることを特徴とする透水性セラミック製品である。
さらに、上記課題を解決するものは、原料にアタパルジャイトを配合して焼成した透水性セラミック製品であって、該透水性セラミック製品は、煉瓦様ブロック、タイル或いはセラミックボードであることを特徴とする透水性セラミック製品である。
さらに、上記課題を解決するものは、底部構成材と該底部構成材の上部に取り付けられた本体筒状部とからなる容器であって、該容器の前記底部構成材は、原料にアタパルジャイトを配合して焼成されたものであることを特徴とする透水性セラミック製品である。


【手続補正３】
【補正対象書類名】明細書
【補正対象項目名】０００６
【補正方法】変更
【補正の内容】
【０００６】
前記原料は、粘土５〜３５重量％、アタパルジャイト５〜６０重量％、ベントナイト５〜６５重量％およびシャモット２０〜８５重量％からなることが好ましい。


【手続補正４】
【補正対象書類名】明細書
【補正対象項目名】００２２
【補正方法】変更
【補正の内容】
【００２２】
【考案の効果】
請求項１に記載した考案によれば、屋外などに配されて降雨等に晒されても、香炉内に雨水等が残留することがなく、常時好適に使用できる。
請求項２に記載した考案によれば、花入れ内に雨水等が溜まり、その水を烏などが飲むために花を引き抜き散乱させる被害を回避できる。
請求項３に記載した考案によれば、骨壷内に水が溜まり遺骨が浮遊するような事態を回避できる。
請求項４に記載した考案によれば、水捌けが良好な庭前等を構成できる。
請求項５に記載した考案によれば、容器内に雨水等が溜まることがなく、好適に使用することができる。